(57)【特許請求の範囲】
【請求項１】
前身頃と、後身頃と、前記前身頃と前記後身頃との間に位置する股下部と、前記前身頃の上縁部と前記後身頃の上縁部とで形成される胴回り部と、一対の脚開口部とを形成するショーツ本体を有する生理用ショーツにおいて、
前記ショーツ本体の内側には、前記前身頃から前記後身頃に至る縦方向に弾性伸縮性を有するサポート帯が設けられており、前記サポート帯は、股下部に位置する非伸縮性生地と、この非伸縮性生地の縦方向の両端に接続される伸縮性生地とで形成され、その縦方向の両端部がショーツ本体の前記前身頃および前記後身頃に接合され、その中間部が前記ショーツ本体に接合されておらず、
前記サポート帯は、股下部に位置する部分が幅寸法２０〜４０ｍｍの幅細部であり、前記幅細部が後身頃まで延び、さらにショーツ本体の後身頃の胴回り部との接合部に向けて徐々に幅寸法が大きくなる形状であることを特徴とする生理用ショーツ。
【請求項２】
前記後身頃では、前記サポート帯の両側縁は共に凹曲線形状とされることで幅寸法が徐々に大きくなる請求項１記載の生理用ショーツ。
【請求項３】
前記ショーツ本体は、最大歪が１０％以下の非伸縮性素材で形成されている請求項１または２記載の生理用ショーツ。
【請求項４】
前記サポート帯の両端部は、ショーツ本体の前身頃と後身頃の胴回り部に接合されており、伸びを与えない自由状態で、前記ショーツ本体の前記縦方向の長さに対して、前記サポート帯の前記縦方向の長さが７０〜９０％の範囲である請求項１ないし３のいずれかに記載の生理用ショーツ。
【発明の詳細な説明】
【０００１】
【発明の属する技術分野】
本発明は、装着性及び着用感に優れた生理用ショーツに係り、特に股下部に装着される生理用ナプキンを凸形状にして身体に密着させることが可能な生理用ショーツに関する。
【０００２】
【従来の技術】
生理用ショーツは、経血の漏れや外部への浸み出しを防止するため、通常の女性用ショーツの股布部内側に防水布を追加して縫着した構造となっているのが一般的である。また、生理用ショーツの内側に、ナプキン装着用布を設ける等の工夫もなされている。
【０００３】
特開平７−１３６２１４号公報には、上記のような工夫がなされた生理用ショーツが開示されている。図３は、前記公報に開示された生理用ショーツのうち代表的なものを示す展開図である。
【０００４】
図示する生理用ショーツは、前身頃１、後身頃２、股下部３で形成されており、前記前身頃１の側縁１ａと前記後身頃２の側縁２ａとが接合され、前記前身頃１の側縁１ｂと前記後身頃２の側縁２ｂとが接合されることで、胴回り部５および脚開口部４、４を有するショーツが形成される。
【０００５】
また、前記股下部３の内側にナプキン装着用股布１０を有している。前記ナプキン装着股布１０は、幅寸法が前記股下部３より狭い股布片６と、股布片６の両側部に固定された一対の弾性紐７、８とで形成されている。股布片６は、前身頃１において弾性紐７、８と共に前記胴回り部５に接合されている。また、股布片６は後身頃２の途中まで延び、その後端から前記弾性紐７、８が後方へ延出して後身頃２の胴回り部５に接合されている。
【０００６】
特にフラップ付き生理用ナプキンを装着するときは、前記フラップでナプキン装着用股布１０の前記股布片６を両側部からくるむようにして装着される。
【０００７】
【発明が解決しようとする課題】
前記従来の生理用ショーツでは、前記ナプキン装着用股布１０の幅寸法が３０〜７０ｍｍと比較的幅広であり、しかも股下部３の後端から弾性紐７、８の間隔が直ちに広くなって後身頃２へ延びている。したがって、股布片６に装着されたナプキンは、臀部の溝に挟まることがなく、また両側部に設けられた弾性紐７、８によってナプキンの両側部が身体方向へ押し付けられるため、ナプキンは身体の股部に適合するような凸形状とならない。よって身体の股部とナプキンとの密着性が悪く、体液の横漏れが発生しやすいものとなる。
【０００８】
また、生理用ナプキンのバックシートの外面に形成された粘着層を前記股布片６に粘着させて装着した場合、前記股布片６には弾性紐７、８の弾性収縮力が作用しているため、ナプキンに対して股布片６が収縮し、前記粘着層による接着に剥がれが発生しやすい。よって装着中のナプキンがずれやすい。
【０００９】
そこで、本発明では、股下部に装着されるナプキンの中央部分が身体の股部に加圧されやすくしてナプキンと身体との密着性を高め、またショーツに対するナプキンのずれも防止できるようにした生理用ショーツを提供することを目的とする。
【００１０】
【課題を解決するための手段】
本発明は、前身頃と、後身頃と、前記前身頃と前記後身頃との間に位置する股下部と、前記前身頃の上縁部と前記後身頃の上縁部とで形成される胴回り部と、一対の脚開口部とを形成するショーツ本体を有する生理用ショーツにおいて、
前記ショーツ本体の内側には、前記前身頃から前記後身頃に至る縦方向に弾性伸縮性を有するサポート帯が設けられており、前記サポート帯は、股下部に位置する非伸縮性生地と、この非伸縮性生地の縦方向の両端に接続される伸縮性生地とで形成され、その縦方向の両端部がショーツ本体の前記前身頃および前記後身頃に接合され、その中間部が前記ショーツ本体に接合されておらず、
前記サポート帯は、股下部に位置する部分が幅寸法２０〜４０ｍｍの幅細部であり、前記幅細部が後身頃まで延び、さらにショーツ本体の後身頃の胴回り部との接合部に向けて徐々に幅寸法が大きくなる形状であることを特徴とするものである。
【００１１】
本発明の生理用ショーツでは、サポート帯の細幅部が、身体の股部（会陰部）から臀部の溝内に密着できるため、生理用ナプキンを身体の股部に密着させやすくなる。また前記サポート帯の幅細部は、生理用ナプキンの幅寸法よりも小さいため、生理用ナプキンは、股下部においてその中央部が上方へ持ち上げられるように凸形状になりやすい。よって生理用ナプキンと、身体の股部との密着性が高くなる。
【００１２】
また、前記後身頃では、前記サポート帯の両側縁は共に凹曲線形状とされることで幅寸法が徐々に大きくなることが好ましい。
【００１３】
このような形状にすると、サポート帯の幅細部が臀部の溝に入りやすくなる。また、前記サポート帯は、股下部に位置する非伸縮性生地と、この非伸縮性生地の縦方向の両端に接続される伸縮性生地とで形成されていることが好ましい。
【００１４】
股下部に非伸縮性生地が用いられていると、生理用ナプキンのバックシートの表面の粘着層がサポート帯に粘着された状態で剥がれにくくなり、生理用ナプキンのずれ止め効果を高くできる。
【００１５】
また、前記ショーツ本体は、最大歪が１０％以下の非伸縮性素材で形成されていることが好ましい。ショーツ本体が非伸縮性であると、サポート帯の伸縮性によりナプキンの中央部が身体に押し付けられやすくなる。
【００１６】
さらに、前記サポート帯の両端部は、ショーツ本体の前身頃と後身頃の胴回り部に接合されており、伸びを与えない自由状態で、前記ショーツ本体の前記縦方向の長さに対して、前記サポート帯の前記縦方向の長さが７０〜９０％の範囲であることが好ましい。
【００１７】
また、前記サポート帯を形成する伸縮性素材の縦方向の弾性係数が、３０〜７０ｍＮであることが好ましい。
【００１８】
【発明の実施の形態】
以下、本発明の生理用ショーツについて図面を参照して説明する。
【００１９】
図１は本発明の実施の形態を示す斜視図であり、図２はその展開図である。図１では、前身頃１１、股下部１３、後身頃１２が連続するＹ方向を縦方向とし、これと直交するＸ方向を横方向とする。
【００２０】
図示する生理用ショーツは、前身頃１１、後身頃１２、股下部１３を形成するショーツ本体４０を有している。このショーツ本体４０の前記前身頃１１の側縁１１ａと前記後身頃１２の側縁１２ａとが接合され、前記前身頃１１の側縁１１ｂと前記後身頃１２の側縁１２ｂとが接合されることで、胴回り部１５および脚開口部１６、１６が形成されている。
【００２１】
前記ショーツ本体４０の内側にはサポート帯２０が設けられている。前記サポート帯２０は前身頃１１、股下部１３、後身頃１２に渡って縦向きに延びており、その長手方向の両端のうち一端がショーツ本体４０の前身頃１１の前記胴回り部１５に固定され、他端がショーツ本体４０の後身頃１２に位置する前記胴回り部１５に固定されている。そしてサポート帯２０は、前記胴回り部１５以外の部分でショーツ本体４０に接合されていない。
【００２２】
前記サポート帯２０は、前記後身頃１２において前記胴回り部１５から前記股下部１３に向けて幅寸法が徐々に小さくなる伸縮性素材で形成された伸縮部材１９ｂと、前身頃１１において胴回り部１５から股下部１３に向けて幅寸法が徐々に小さくなる伸縮性素材で形成された伸縮部材１９ａと、前記両伸縮部材１９ａと１９ｂとの中間に接合された非伸縮部材１８とで形成されている。図１に示すようにこの生理用ショーツを身体に装着したときと近似した立体形状としたときに、前記非伸縮部材１８が、ショーツ本体４０の股下部１３の内側に重なる位置に配される。
【００２３】
このように、サポート帯２０の縦方向の中央部分に前記非伸縮部材１８が設けられ、この非伸縮部材１８が縦方向の両側において伸縮部材１９ａ、１９ｂで弾性的に吊上げられている構造であるため、非伸縮部材１８はショーツ本体４０の股下部１３に対して自由に動くことができる。また、ナプキン装着区域となる股下部１３に前記非伸縮部材１８が位置し、非伸縮部材１８には伸縮部材１９ａ、１９ｂにより縦方向へ張力が作用しているため、生理用ナプキン２５のバックシートの外面に設けられている粘着層を前記非伸縮部材１８に粘着させたときに、非伸縮部材１８に皺が発生せず、前記粘着層による粘着の剥がれが発生しにくくなり、股下部での生理用ナプキン２５のずれが発生しにくい。
【００２４】
この生理用ショーツを着用すると、前記サポート帯２０は、股下部１３に装着される生理用ナプキン２５の中央部が凸形状となるように引き上げるように作用する。また前記サポート帯２０は、臀部の溝内にも密着でき、生理用ナプキン２５を臀部の溝内に入り込むように凸形状に加圧するように機能する。
【００２５】
したがって、例えば図１に示す生理用ナプキン２５の両側に突出するウイング２６、２６をショーツ本体４０の股下部１３の両側の縁部（脚開口部の縁部）にくるむように装着すると、ナプキン２５の中央部が身体に密着できるように凸状に変形する。またウイング２６、２６が設けられていない生理用ナプキンが装着される場合も、そのナプキンの中央部が前記サポート帯２０の非伸縮部材１８により身体に押し付けられ、身体に向けて凸状に変形しやすくなる。
【００２６】
上記のように、身体の股部から臀部の溝内にかけて生理用ナプキンを凸状に変形させて密着させやすくするように、股下部１３に位置する前記サポート帯２０の幅寸法Ｗは生理用ナプキンの幅寸法よりも小さくなっている。さらにこの幅細部は後身頃１２まで連続しており、さらにサポート帯２０の両縁部は２つの円弧を背中合わせにした形状、すなわち凹曲面形状となって、幅寸法が徐々に拡大して、ウエスト胴回り部１５に至っている。
【００２７】
図２に示すように、サポート帯２０の幅細部となる前記非伸縮部材１８の幅寸法Ｗおよび、伸縮部材１９ｂの前記非伸縮部材１８との接合部３０から後身頃１２の中腹部に至る領域（Ｉ）での幅寸法Ｗは、２０〜４０ｍｍの範囲であり、生理用ナプキンの幅寸法の２／３以下、好ましくは１／２以下である。一方、ショーツ本体４０の股下部１３の幅寸法Ｗ０は、生理用ナプキンの幅寸法とほぼ同等またはやや広い程度であり、Ｗ０は６０〜８０ｍｍである。
【００２８】
前記サポート帯２０の弾性力により生理用ナプキンの中央部を凸状に変形させて身体の股部と臀部の溝内に密着させるためには、サポート帯２０の幅細部の幅寸法Ｗは、ショーツ本体４０の股下部１３の幅寸法Ｗ０の２／３以下であることが好ましく、さらに好ましくは１／２以下である。
【００２９】
前記幅寸法ＷおよびＷ０は、特に図１に示すウィング２６付きの生理用ナプキン２５を安定的に装着させるために必要な寸法である。一般的な生理用ナプキンの本体の幅寸法は４０〜７０ｍｍである。
【００３０】
図２に示すように、生理用ショーツをＹ方向が長手方向となるように展開し、縦方向の中心Ｏｙから後身頃１２の胴回り部１５までの長さ寸法をＬ０としたときに、前記中心Ｏｙから前記境界領域（Ｉ）の終端までの長さ、すなわちサポート帯２０の幅寸法Ｗの幅細部が延びる長さＬ１は、前記長さ寸法Ｌ０の４／５以下で、１／４以上であることが好ましく、好ましくは１／２以上である。このため、ショーツを装着したときには、サポート帯２０の前記領域（Ｉ）での幅細部が臀部の隙間に入りやすくなる。
【００３１】
前記ショーツ本体４０を形成する素材は、非伸縮性素材であることが好ましく、通常の織布が使用され、各方向へ強制的に伸ばしたときの最大歪は１０％未満である。
【００３２】
また、前記サポート帯２０の伸縮部材１９ａ、１９ｂを形成する伸縮性素材は、弾性伸縮性繊維で形成された織布、または弾性伸縮性素材を折り込んだ織布であり、例えばナイロン繊維（非伸縮性繊維）とポリウレタン繊維（伸縮性繊維）とから成るものであり、縦方向の弾性係数が３０〜７０ｍＮであることが好ましい。なお前記弾性係数は、図２に示す形状のサポート帯２０全体を縦方向（Ｙ方向）へ伸ばしたときの、（全体に作用する収縮力／歪）である。なお、前記非伸縮部材１８はナイロンなどの非伸縮性繊維で形成された織布である。
【００３３】
また、図２に示すような展開形状において、しかも引張り力を与えない自由形状において、ショーツ本体４０の長手方向の長さを１００％としたとき、前記サポート帯２０の同方向の自由長さが７０〜９０％であることが好ましい。
【００３４】
以上から、この生理用ショーツを装着したとき、または装着状態に近似した立体形状としたときに、サポート帯２０が縦方向へ伸ばされた状態になり、ショーツ本体４０の収縮応力に対し、サポート帯２０の収縮応力が大きくなる。
【００３５】
よって股下部１３に装着された生理用ナプキンは、サポート帯２０の幅細部により身体の股部および臀部の溝にしっかり密着するように凸形状に変形させられる。
【００３６】
また、ショーツ本体４０と前記サポート帯２０は前記胴回り部１５でのみで縫着されているので、身体の動きから生じるショーツのずれが前記サポート帯２０に影響する事が無い。このため、ナプキンは身体に凸形状で密着しつづけ、隙間を生じないので漏れを防止できる。
【００３７】
さらに、前記サポート帯２０のみで十分なナプキンの圧接効果が得られるため、ショーツ本体４０を形成する素材には伸縮性の弱いものでもよく、通気性が非常に大きく密度の低く、かつ薄い素材も使うことができるため、身体への無駄な圧迫やむれがなくなり装着感の優れたショーツとなる。
【００３８】
【発明の効果】
以上に説明したように本発明の生理用ショーツでは、サポート帯を設けることで、身体の動きから生じるショーツ本体のずれをナプキン装着部分に影響させず、常にナプキンが凸形状となって臀部の隙間に密着させ、着用中に身体を動かしてもナプキンが前後左右にずれにくくしたものである。
【図面の簡単な説明】
【図１】本発明の実施の形態の生理用ショーツを示す斜視図、
【図２】図１の生理用ショーツの展開図、
【図３】従来の生理用ショーツの展開図、
【符号の説明】
１０  ショーツ本体
１１  前身頃
１２  後身頃
１３  股下部
１５  胴回り部
１６  脚開口部
１８  非伸縮部材
１９ａ，１９ｂ  伸縮部材
２０  サポート帯
２５  生理用ナプキン
【図１】
0003664633.tif 000002
【図２】
0003664633.tif 000003
【図３】
0003664633.tif 000004